(57)【特許請求の範囲】
【請求項１】
サンプル分注手段により、サンプルを収容した試料容器からサンプルを吸引し、サンプル分注位置に分注して、サンプルを分析する自動分析装置において、
複数の試料容器が、それぞれの配置形式で配置される複数種のサンプルディスクと、
上記複数種のサンプルディスクのうちのいずれか一つのサンプルディスクを選択するディスク選択手段と、
上記ディスク選択手段により選択されたディスクの種別を識別し、識別したディスクの種類毎によって定まる試料容器間の距離間隔に基づいて、上記サンプル分注手段の動作を制御する動作制御手段と、
を備えることを特徴とする自動分析装置。
【請求項２】
請求項１記載の自動分析装置において、上記複数種のサンプルディスクのうちの一種類のサンプルディスクは、複数の試料容器を収容するラックが所定配置位置に複数個配列されるサンプルディスクであり、このサンプルディスクの外周位置には、各ラックに貼付されたラック識別用バーコードを読み取るバーコードリーダを備え、上記動作制御手段は、バーコードリーダにより読み取られたバーコードに従って、優先するラックに収容された試料容器のサンプルから分析を開始することを特徴とする自動分析装置。
【請求項３】
請求項１記載の自動分析装置において、上記複数種のサンプルディスクは、その中央部に緊急検体又は追加検体の配置位置を有し、この緊急検体配置位置に緊急検体が配置されたことを検知する検知手段を備え、この検知手段が緊急検体配置位置に検体が配置されたことを検知すると、上記動作制御手段は、緊急検体を優先して吸引分注するように、サンプル分注手段の動作を制御することを特徴とする自動分析装置。
【請求項４】
請求項１記載の自動分析装置において、上記複数種のサンプルディスクのうちの一種類のサンプルディスクは、複数の試料容器を収容するラックが所定配置位置に複数個配列されるサンプルディスクであり、所定の分注位置に配置されたラックをサンプルディスクから取り出すラック取り出し手段を備えるとともに、上記取り出されたラックに収容された試料容器に貼付された検体ＩＤを読み取る読み取り手段を備えることを特徴とする自動分析装置。
【請求項５】
請求項１記載の自動分析装置において、上記複数の試料容器のサンプルディスクにおける配置位置は、サンプルの分析開始時と終了時とで一致していることを特徴とする自動分析装置。
【発明の詳細な説明】
【０００１】
【発明の属する技術分野】
本発明は、生体試料などの血液や尿等の分析を行う自動分析装置に関する。
【０００２】
【従来の技術】
生体試料を分析する自動分析装置には、図１０に示すように、試料を試験管に入れ、その試験管をラックにセットするラック専用タイプの自動分析装置２７と、図１１に示すように、試験管をディスクにセットするディスクタイプの自動分析装置２８の２種類の装置がある。
【０００３】
また、分注ポジションに尿カップを一個だけ置いて分析する自動分析装置がある。
【０００４】
なお、ディスクタイプの自動分析装置の例としては、特開昭５９−６７４４２号公報に記載された「自動試料採取装置」がある。この公報に記載されたものは、ターンテーブルの周縁に切り欠きが設けられ、この切り欠きと駆動アセンブリとの係合状態に応じてターンテーブルの回転軸から異なる半径にある２つの位置のいずれか一方を採択して、採択した円周上の試料を採取するように構成されている。
【０００５】
【発明が解決しようとする課題】
ところで、例えば、ディスクタイプ又はラックタイプの自動分析装置を購入したユーザは、後にラックタイプ又はディスクタイプの自動分析装置にしようとすると、装置を一式買い換えなければならない。または、サンプラーユニット一式を買い換えなければならず、試料の分析に要する費用が高価となると言う問題があった。
【０００６】
また、上述したように、現在では、尿カップを一個だけ置いて分析する自動分析装置は存在するが、複数の尿カップをテーブル等に配置して分析できる自動分析装置があれば便利である。
【０００７】
さらに、ラック専用タイプの自動分析装置においては、再検査しようとすると、検査が終了したラックは、検査中とは異なる位置に移動されてしまうため、再検査する検体を探すためには、分析終了したラックの中からどのラックのどのポジションにある試験管に収容された検体かを探さなければならず、その動作等が半ざる煩雑であった。
【０００８】
このため、複数のラックを配置できるタイプ、複数の試験管を配置できるタイプ、複数の尿カップを配置できるタイプを相互に互換可能であり、かつ、再検査が容易に実行できる自動分析装置の実現が望まれていた。
【０００９】
本発明の目的は、複数のラックを配置できるタイプ、複数の試験管を配置できるタイプ、複数の尿カップを配置できるタイプを相互に互換可能であり、かつ、再検査が容易に実行できる自動分析装置を実現することである。
【００１０】
【課題を解決するための手段】
上記目的を達成するため、本発明は次のように構成される。
（１）サンプル分注手段により、サンプルを収容した試料容器からサンプルを吸引し、サンプル分注位置に分注して、サンプルを分析する自動分析装置において、複数の試料容器が、それぞれの配置形式で配置される複数種のサンプルディスクと、上記複数種のサンプルディスクのうちのいずれか一つのサンプルディスクを選択するディスク選択手段と、上記ディスク選択手段により選択されたディスクの種別を識別し、識別したディスクの種類毎によって定まる試料容器間の距離間隔に基づいて、上記サンプル分注手段の動作を制御する動作制御手段とを備える。
【００１１】
（２）好ましくは、上記（１）において、上記複数種のサンプルディスクのうちの一種類のサンプルディスクは、複数の試料容器を収容するラックが所定配置位置に複数個配列されるサンプルディスクであり、このサンプルディスクの外周位置には、各ラックに貼付されたラック識別用バーコードを読み取るバーコードリーダを備え、上記動作制御手段は、バーコードリーダにより読み取られたバーコードに従って、優先するラックに収容された試料容器のサンプルから分析を開始する。
【００１２】
（３）また、好ましくは、上記（１）において、上記複数種のサンプルディスクは、その中央部に緊急検体又は追加検体の配置位置を有し、この緊急検体配置位置に緊急検体が配置されたことを検知する検知手段を備え、この検知手段が緊急検体配置位置に検体が配置されたことを検知すると、上記動作制御手段は、緊急検体を優先して吸引分注するように、サンプル分注手段の動作を制御する。
【００１３】
（４）また、好ましくは、上記（１）において、上記複数種のサンプルディスクのうちの一種類のサンプルディスクは、複数の試料容器を収容するラックが所定配置位置に複数個配列されるサンプルディスクであり、所定の分注位置に配置されたラックをサンプルディスクから取り出すラック取り出し手段を備えるとともに、上記取り出されたラックに収容された試料容器に貼付された検体ＩＤを読み取る読み取り手段を備える。
【００１４】
（５）また、好ましくは、上記（１）において、上記複数の試料容器のサンプルディスクにおける配置位置は、サンプルの分析開始時と終了時とで一致している。
【００１５】
選択されたサンプルディスクの種別に応じて定まるサンプル容器間の距離間隔に合致して分注ノズルが動作するように制御する構成したので、複数のラックを配置できるタイプ、複数の試験管を配置できるタイプ、複数の尿カップを配置できるタイプを相互に互換可能な自動分析装置を実現することができる。
また、分析開始時と終了時とで試験管等の試料容器の配置位置が変化しないように構成したので再検査が容易に実行可能となる。
【００１６】
【発明の実施の形態】
以下、本発明の実施形態を添付図面に基づいて説明する。
図１は、本発明の一実施形態である自動分析装置１の概略構成図である。この一実施形態である自動分析装置は、複数のラックを配置できるタイプ、複数の試験管を配置できるタイプ、複数の尿カップを配置できるタイプを相互に互換可能な自動分析装置であり、複数のラックを配置できるタイプを選択した場合の例を図１に示す。そして、この図１に示した例においては、複数のラックは、ラック格納ディスク１１に配置されており、ラックをラック格納ディスク１１の外に取り出さないで試料を分注する。
【００１７】
図１において、ユーザは、測定する検体数量分だけの試料を別々のサンプル格納試験管１２に入れる。試料の入ったサンプル格納試験管１２をラック１３に一本一本セットし、５本セットしたら別のラック１３に他のサンプル格納試験管１２をセットする。試験管１２のセットを終えたラック１３をラック格納ディスク１１にセットする。
【００１８】
ラック格納ディスク１１に複数のラック１３をセット（配置）した状態は、図１に示すように、複数のラック１３は、ディスク１１の回転中心である緊急検体測定位置２０を中心として、放射状に配列されている（この例では、１５個のラック１３が配列されている）。
【００１９】
検体のセット、つまり、ラック１３内への試験管１２のセットを終えたユーザは、次に、測定に必要な試験紙５が試験紙格納カセット４に充分有るかどうか入出力表示器２にて確認する。そして、測定に必要な試験紙５が試験紙格納カセット４に充分に無い場合には、試験紙５の入っている新しいカセット４を古いカセット４と交換する。
【００２０】
また、使用済み試験紙格納箱１０が使用済みの試験紙５で一杯になっていないかどうかを確認し、一杯であれば使用済みの試験紙５を廃棄して、使用済み試験紙格納箱１０を元の場所にセットし直す。
【００２１】
以上の準備を終えたユーザは、入出力表示器２から測定に必要なデータを入力し(シーケンスナンバ、古いデータのクリア、試験紙格納カセット４の交換有無等)、入出力表示器２に有るスタートキーを押して測定を開始させる。
【００２２】
入出力表示器２のスタートキーが押されると、ＣＰＵ１８は、ディスク制御機構１９へ指令を出し、ラック格納ディスク１１の指定されたラック１３をサンプル分注位置２１まで回転させ、停止指令を出してディスク１１を停止させる。
【００２３】
また、ＣＰＵ１８は、サンプルピペッティング機構７に対しても制御を行い、ピペッティング機構７に備えられているサンプルノズル６と一緒にピペッティング機構７をサンプル分注位置２１のラック１３内のポジションａの上方位置まで水平移動させる。そして、サンプルノズル６を上記ポジションａに向けて下降し、その位置の試験管１２から検体を吸引する。
【００２４】
次に、サンプルノズル６をポジションａから上昇させ、試験紙への分注ポジション（図示した試験紙５の位置）までサンプルノズル６を戻す動作をさせる。それと同時に、ＣＰＵ１８は、カセット機構３にも指令を出し、試験紙格納カセット４から試験紙５を一枚送り出させる。
【００２５】
送り出された試験紙５は、試験紙搬送機構８によって試験紙へのサンプル分注位置へ送られる。そして、検体を吸引したサンプルノズル６は、試験紙５上に貼られてある複数の試薬パッドに検体を必要量だけ分注しながら水平方向に移動する。
【００２６】
つまり、図２に示すように、試験紙５には複数の試薬パッド５ａ〜５ｊが添付されている。そして、図２の（Ａ）に示すように、サンプルノズル６は、試験パッド５ａの上方に移動され、図２の（Ｂ）に示すように、試薬パッド５ａに向かって下降し、試薬パッド５ａに検体を必要量だけ分注する。その後、図２の（Ｃ）に示すように、サンプルノズル６は、試薬パッド５ａの上方に移動される。
【００２７】
次に、図２の（Ｄ）に示すように、サンプルノズル６は、試薬パッド５ａの上方位置から試薬パッド５ｂの上方位置に移動され、試薬パッド５ｂに向かって下降する。そして、図２の（Ｅ）に示すように、サンプルノズル６は、試薬パッド５ｂに検体を必要量だけ分注する。その後、図２の（Ｆ）に示すように、サンプルノズル６は、試薬パッド５ｂの上方に移動される。
【００２８】
以降、試薬パッド５ｄ〜５ｉに対して同様にして、検体を必要量だけ分注し、最後に、図２の（Ｇ）〜（Ｉ）に示すように、サンプルノズル６は、試薬パッド５ｊに対して検体を必要量だけ分注して、この試験パッド５ｊの上方に移動する。
【００２９】
試験紙５の各試薬パッド５ａ〜５ｊに検体を分注した後、サンプルノズル６内に残った検体は、洗浄漕１７にて吐出され、この洗浄漕１７においてサンプルノズル６の洗浄が同時に行われる。また、検体が分注された試験紙５は、試験紙搬送機構８によって次のポジションに移動される。
【００３０】
同様に、サンプル分注ポジション２１のラック１３の次の試験管１２内の検体についてもサンプルノズル６により吸引され、試験紙５に分注される。
つまり、サンプルピペッティング機構７をサンプル分注位置２１のポジションｂまで水平移動させ、サンプルノズル６をこのポジションｂに下降させて、検体を吸引して試験紙５への分注ポジションまで戻る。そして、次の検体の為の試験紙５が試験紙格納カセット４からカセット機構３によって押し出され、試験紙搬送機構８によって、試験紙５へのサンプル分注位置へ送られる。次に、上述したと同様にして、サンプルノズル６から試験紙５上の試薬パッドに検体が分注される。
【００３１】
このような連続動作をしながら一番最初の試験紙５が、ちょうど反応時間のタイミングになった時に、測定機構部９の下に来るように、試験紙搬送機構８にて動作制御するようＣＰＵ１８から指令するようにプログラムされている。
【００３２】
試験紙搬送機構８によって送られてきた試験紙５は、測定機構部９によって測定され、ＣＰＵ１８により演算され、測定結果が入出力表示器２に表示され、ユーザに知らされる。
【００３３】
サンプル分注位置２１で、ａ〜ｅの５ポジション分だけの分注が終了すると、ＣＰＵ１８は１ラック分ディスク１１を回転するようにディスク制御機構１９に指令を出し回転させる。
このように、次から次へと連続して一般検体を測定することが出来る。
【００３４】
このような一般検体を測定中に、緊急検体をコップに入れたまま緊急検体側定位置２０にセットすると、緊急検体測定位置２０に設けられたセンサを監視しているＣＰＵ１８が、緊急検体の有無を判断し、緊急検体測定に必要な画面を入出力表示器２に自動的に表示し、ユーザに知らしめる。
【００３５】
ユーザは緊急検体の依頼を入出力表示器２から依頼すると、ＣＰＵ１８が入出力表示器２からその情報を受け、サンプルピペッティング機構７を緊急検体側定位置２０へ移動させ、一般検体と同様に、緊急検体用コップから検体を吸引し、試験紙５に分注する。緊急検体の測定結果は、一般検体か緊急検体か区別できるようにシーケンスナンバで分かるように区別される。
【００３６】
この場合、緊急検体用コップは、回転するディスク１１でもその位置が移動しない中央部の緊急検体測定位置２０に配置されるので、ピペッティングの位置制御も容易であり、緊急時に速やかに検体の吸引分注を行うことができる。
【００３７】
このような機構系を持つ尿自動分析装置１において、例えばラック格納ディスク１１を、図３に示すような試験管専用ディスク１１Ａ、図４に示すような尿コップ専用ディスク１１Ｂ等と入れ替えできるような構造、対応可能なプログラムになっており、どのディスクが現在取り付けてあるか入出力表示器２から指定することで容易に実現できる（後述する）。
【００３８】
図３に示した試験管専用ディスク１１Ａにおいては、試験管１２を５つ直列に並べたものが１５組あり、これらは、ディスク１１Ａの回転中心である緊急検体測定位置２０を中心として、放射状に配列されている。
【００３９】
また、図４に示した尿コップ専用ディスク１１Ｂにおいては、ディスク１１Ｂの周縁近傍に、８個の尿コップ１５が等間隔で配置されている。この尿コップ専用ディスク１１Ｂにあっても、その中央部に緊急検体測定位置２０が設けられているものである。
【００４０】
図５は、ラック格納ディスク１１を使用し、ラックをディスク１１の外に取出して試料を分注するタイプの装置の概略図である。この装置の特長は、各ラック１３に貼ってあるラックナンバー識別用バーコードラベル２２とサンプル格納試験管１２に貼ってある検体ＩＤ用バーコードラベル２３とを読むことが出来るところである。
【００４１】
つまり、バーコードラベル２２、２３を読むことにより、一般検体用、緊急検体用、キャリブレーション用、コントロール用ラックなのかを識別することが出来る。また、一般検体用・緊急検体用と識別しないでも、測定したいラック番号を入出力表示器２から又はホストと呼ばれる上位コンピュータからあらかじめ登録しておくだけでその順番に測定することも出来る。
【００４２】
つまり、ラックを優先つけて測定したり、ある検体の測定データをもう一度測定したい場合、その検体を乗せてあるラック１３を再度測定する、いわゆる再検することも出来る大きな特徴を持っている。
【００４３】
次に、その機構について説明する。測定原理等は概ね図１の例と同様であるので異なる部分についてのみ説明する。
ＣＰＵ１８がディスク制御機構１９に指令を行なうことによりラック格納ディスク１１を回転させ、これから分析するラック１３をラック取出し位置２６迄回転させ停止させる。また、ＣＰＵ１８はラック取出し機構１４に対しても指令を行い、ラック取り出し位置２６に停止したディスク１１上のラック１３をディスク１１上から引き出させる。
【００４４】
そして、ディスク１１の外周位置に配置されたバーコードリーダ１５にて、引き出されたラック１３のサンプル格納試験管１２に貼られたバーコードラベル２３を読取り、その検体の分析依頼が有るかどうかをＣＰＵ１８が判断する。依頼が有れば、その検体を分注位置１６までラック取出し機構１４が移動させる。なお、このラック取り出し機構１４は、チャック等の機構により構成され、このチャックによりラック１３を挟み、分注位置１６まで移動させる。
【００４５】
また、ＣＰＵ１８は、サンプルピペッティング機構７に対しても動作制御を行い、ピペッティング機構７に備えられているサンプルノズル６と一緒にピペッティング機構７をサンプル分注位置１６まで水平移動させる。そして、サンプルノズル６を下降させ、試験管１２から検体を吸引し、サンプルノズル６を上昇させて試験紙５への分注ポジションまでサンプルノズル６を戻す動作をさせる。それと同時に、ＣＰＵ１８は、カセット機構３にも指令を出し試験紙格納カセット４から試験紙５を一枚送り出す。
【００４６】
送り出された試験紙５は、試験紙搬送機構８によって試験紙５へのサンプル分注位置へ送られる。そして、検体を吸引したサンプルノズル６は試験紙５上に貼られてある試薬パッドに検体を必要量だけ分注しながら水平方向に移動する。サンプルノズル６内に残った検体は、洗浄漕１７にて吐出されサンプルノズル６の洗浄が同時に行われる。
検体を分注された試験紙５は、試験紙搬送機構８によって次のポジションに移動される。
【００４７】
同様に、次の検体についても、ＣＰＵ１８がラック送り出し機構１４に対し、ラック１３を１検体分ディスク１１側へ送り込みながらバーコードリーダ１５にて検体ＩＤを読む。
【００４８】
このように、５ポジション分の検体のディスク１１への送り込み終わると、ＣＰＵ１８はディスク制御機構１９に指令を出し、ディスク１１を１ラック分回転させる。
このように、ディスク１１を回転した時にバーコードリーダ１５がラック用バーコードラベル２２を読み、ラック取出し機構１４がラック１３を取り出す。そして、ラック１３が分注位置１６へ送り出された時に、ラック用バーコードラベルを読み出したと同様に、バーコードリーダ１５が試験管１２に貼ってある検体用バーコードラベル２３を読み、分析するかしないかをＣＰＵ１８が判断しながら他の機構系を制御する。
【００４９】
２４は緊急検体設置位置であり、緊急検体設置位置２４は、ディスク１１の周縁部近辺であって、ラック１３と１３との間に設定されている。そして、緊急検体を測定する場合には、緊急検体設置位置２４が指示しているディスク１１上の試験管セット位置に、検体の入った試験管１２をセットすると、ＣＰＵ１８が緊急検体がセットされたことを認識する。緊急検体がセットされたことを認識したＣＰＵ１８は、入出力表示器２に緊急検体依頼画面を表示し、ユーザに緊急検体依頼登録を促す。
【００５０】
次に、ユーザは入出力表示器２から緊急検体依頼を行うと、ＣＰＵ１８は、緊急検体を受け付けたと判断し、ディスク１１を緊急検体側定位置２０まで回転させる。そして、ＣＰＵ１８は、現在測定している一般検体の測定終了後、サンプルピペッティング機構７を緊急検体側定位置２０まで移動させ、緊急検体をサンプルノズル６に吸引させる。
【００５１】
サンプルピペッティング機構７が緊急検体を吸引し終わり、試験紙５へ分注するために試験紙５の方向に移動し始めると、測定を終了した緊急検体は、元の緊急検体設置位置２４まで戻される。
このようにして、緊急検体測定を容易に行うことが出来る。
【００５２】
次に、再検査について説明する。
あるラック１３上に有るある検体をもう一度測定したい場合、そのラック１３をもう一度分注位置１３に対応するまで回転させ、ラック取出し機構１４が、そのラック１３のある検体を分注位置１３まで取出し、分析することで容易に再検査を行うことが出来る。図１０に示すようなラック専用タイプの自動分析装置では、終了したラックの中から再検するラックを探すという煩わしさが有った。
【００５３】
つまり、ディスクタイプの自動分析装置では、テーブル上に試験管等が所定の位置に配置されており、この位置は分析開始と終了とで互い一致しており、検体の再検査しようとする場合には、その再検査しようとする検体の位置が容易に判別することができる。
【００５４】
これに対して、ラック専用タイプの自動分析装置の場合では、分析開始と終了とラック位置が異なるため、再検査しようとした検体を探すときには、分析終了したラックの中からどのラックのどのポジションの検体が再検査する検体なのかを探し出すのが煩わしかった。
一方、図５に示した装置１の場合には、そのような煩わしさが無い。
【００５５】
次に、図６、図７、図８、図９を使って入出力表示器２の表示画面の表示の流れを説明する。
図６は、入出力表示器２に表示される画面の遷移図、図７は装置の動作と表示する画面と関係を示すフローチャートである。また、図８はパラメータ設定画面であり、このパラメータ設定画面により、複数のラックを配置できるタイプ、複数の試験管を配置できるタイプ、複数の尿カップを配置できるタイプのいずれかを選択する。また、図９は、装置の動作時に表示する画面の詳細図である。
【００５６】
まず、表示画面には、図８に示すパラメータ設定画面が表示される。そして、オペレータ（ユーザー）は、パラメータ設定画面により、使用ディスクが、ラックディスクか、試験管用のディスクか、尿カップ用のディスクかを選択する。ＣＰＵ１８は、選択したタイプのディスクに応じた制御動作を準備する。つまり、ラック格納ディスクを選択した場合には、このラック格納ディスクに配置される各ラックの位置、ラックに収容される試験管の位置の関係が予め記憶されており、この位置関係に従って、ＣＰＵ１８が検体の吸引や分注動作を制御する。
【００５７】
同様に、試験管用のディスク又は尿カップ用のディスクを選択した場合には、この試験管用のディスクに配置される各試験管の位置の関係、あるいは尿カップ用ディスクに配置される各尿カップの位置の関係が予め記憶されており、この位置関係に従って、ＣＰＵ１８が検体の吸引や分注動作を制御する。
【００５８】
言い換えれば、ＣＰＵ１８は、選択されたサンプルディスクの種別に応じて定まるサンプル容器間の距離間隔に合致して分注ノズル６が動作するように制御する。
【００５９】
また、このパラメータ設定画面にて、ラックＩＤを使用するか否か、検体ＩＤを使用するか否かを設定する。
【００６０】
次に、図７のステップ１００において、オペレーション画面Ｎｏ．１（図９の（Ａ））かメニュー画面Ｎｏ．２（図９の（Ｂ））が表示されている。次に、ステップ１０１において、緊急検体の検知がなされたか否かを判断し、検知がなされていない場合には、ステップ１０２にて通常の画面とする。
【００６１】
つまり、ステップ１０２においては、一般検体の測定であるため、一般項目選択画面Ｎｏ．４（図９の（Ｅ））にて依頼項目を選択し、スタート条件画面Ｎｏ．３（図９の（Ｄ））にてスタートシーケンス番号などの入力を行なった後に、スタートキーを押し測定を開始する。測定中は、通常オペレーションモニタと呼ばれる画面Ｎｏ．１が表示されている。
【００６２】
ステップ１０１において、緊急検体の検知がなされた場合には、ステップ１０３に進み、緊急項目依頼画面Ｎｏ．５（図９の（Ｃ））を呼び出して表示する。ここで、緊急項目依頼画面Ｎｏ．５の呼び出しは、ユーザが行うこととすると、装置を熟知したユーザでないとなかなかその画面を呼び出すことが出来ない。
【００６３】
そこで、本発明の実施形態においては、緊急検体設置位置にセンサを設け、そのセンサをＣＰＵ１８が絶えず監視しており、そのセンサが緊急検体位置に緊急検体が設置されたことを検知すると、画面を自動的に緊急項目依頼画面に切り替える。そうすることによってユーザに誤った操作をさせることが無くなる。
【００６４】
次に、ステップ１０４において、緊急項目依頼画面にて必要な項目をオペレータが画面を通じて入力し、確認キーを押した後に、スタートキーを押す。続いて、ステップ１０５において、オペレーションモニタ画面を表示する。そして、測定が実行される。
【００６５】
以上のように、本発明の一実施形態によれば、複数の試料容器が、それぞれの配置形式で配置される複数種のサンプルディスクが備えられ、オペレータが、パラメータ設定画面により、使用ディスクが、ラックディスクか、試験管用のディスクか、尿カップ用のディスクかを選択すると、ＣＰＵ１８は、選択したタイプのディスクに応じた制御動作を行うように構成するとともに、分析開始時と終了時とで試験管等の試料容器の配置位置は変化しないように構成したので、複数のラックを配置できるタイプ、複数の試験管を配置できるタイプ、複数の尿カップを配置できるタイプを相互に互換可能であり、かつ、再検査が容易に実行できる自動分析装置を実現することができる。
【００６６】
また、本発明の一実施形態によれば、緊急検体設置位置をディスクの回転中心位置としたので、この位置は移動が無く、位置の検知が容易であり、緊急検体の測定に早急に対応可能となる。
【００６７】
なお、上述した一実施形態においては、ディスク上の試験管等の配置を放射状としたが、放射状ではなく、はすば状、つまり、ディスクの半径方向に対して所定角度傾斜させて試験管列を配置してもよい。
【００６８】
【発明の効果】
本発明によれば、選択されたサンプルディスクの種別に応じて定まるサンプル容器間の距離間隔に合致して分注ノズルが動作するように制御する構成するとともに、分析開始時と終了時とで試験管等の試料容器の配置位置が変化しないように構成したので、複数のラックを配置できるタイプ、複数の試験管を配置できるタイプ、複数の尿カップを配置できるタイプを相互に互換可能であり、かつ、再検査を容易に実行可能な自動分析装置を実現することができる。
【図面の簡単な説明】
【図１】本発明の一実施形態である自動分析装置の概略構成図である。
【図２】試験紙への分注動作の説明図である。
【図３】試験管専用ディスクの概略図である。
【図４】尿カップをセットできるディスクの概略図である。
【図５】ラックとディスクを使用し、ラックをディスクの外に取出して試料を分注する装置の例の概略構成図である。
【図６】入出力表示器に表示される画面の遷移図である。
【図７】装置の動作と表示する画面と関係を示すフローチャートである。
【図８】パラメータ設定画面の一例を示す図である。
【図９】  装置の動作時に表示する画面の詳細図である。
【図１０】ラック専用タイプの自動分析装置の概略図である。
【図１１】ディスクタイプの自動分析装置の概略図である。
【符号の説明】
１      自動分析装置
２      入出力表示器
３      カセット機構
４      試験紙格納カセット
５      試験紙
６      サンプルノズル
７      サンプルピペッティング機構
８      試験紙搬送機構
９      測定機構部
１０    使用済試験紙格納箱
１１    ラック格納ディスク
１１Ａ  試験管専用ディスク
１１Ｂ  尿コップ専用ディスク
１２    サンプル格納試験管
１３    ラック
１４    ラック取出し機構
１５    バーコードリーダ
１６    分注位置
１７    洗浄漕
１８    ＣＰＵ
１９    ディスク制御機構
２０    緊急検体測定位置
２１    サンプル分注位置
２２    ラック用バーコードラベル
２３    検体用バーコードラベル
２４    緊急検体設置位置
２５    尿コップ
２６    ラック取り出し位置
【図１】
0003715479.tif 000002
【図２】
0003715479.tif 000003
【図３】
0003715479.tif 000004
【図４】
0003715479.tif 000005
【図５】
0003715479.tif 000006
【図６】
0003715479.tif 000007
【図７】
0003715479.tif 000008
【図８】
0003715479.tif 000009
【図９】
0003715479.tif 000010
【図１０】
0003715479.tif 000011
【図１１】
0003715479.tif 000012